(57)【要約】【課題】マイクロ波通信ネットワークのアップグレード時に確度良く適切な伝送品質を確保できるマイクロ波無線通信システムを提供する。【解決手段】一方が有線通信にて連結され、他方がマイクロ波無線通信にて連結される複数のマイクロ波通信装置１０と、複数のマイクロ波通信装置１０により構成されるマイクロ波通信ネットワークを監視および制御するネットワーク監視装置３０と、を備えたマイクロ波無線通信システムであって、ネットワーク監視装置３０は、所定区間のマイクロ波通信装置１０のアップグレードの際に、当該マイクロ波通信装置１０の通信制御用設定値の変更を受け付ける受付部２０８と、変更に従って、当該マイクロ波通信装置１０をアップグレードする装置制御部２１０と、アップグレードされたマイクロ波通信ネットワークの伝送品質を測定するデータ収集部２２０と、測定した伝送品質を提示するモニタ３４と、を備える。【選択図】図３
2008066960.tif 000002
【特許請求の範囲】
【請求項１】
一方が有線通信にて連結され、他方がマイクロ波無線通信にて連結される複数のマイクロ波通信装置と、前記複数のマイクロ波通信装置により構成されるマイクロ波通信ネットワークを監視および制御するネットワーク監視装置と、を備えたマイクロ波無線通信システムであって、
前記ネットワーク監視装置は、
所定区間の前記マイクロ波通信装置のアップグレードの際に、当該マイクロ波通信装置の通信制御用設定値の変更を受け付ける受付部と、
前記受付部が受け付けた前記通信制御用設定値の変更に従って、当該マイクロ波通信装置をアップグレードする更新部と、
前記アップグレードされた前記マイクロ波通信ネットワークの伝送品質を測定する測定部と、
前記測定部が測定した前記伝送品質を提示する提示部と、を備えるマイクロ波無線通信システム。
【請求項２】
請求項１に記載のマイクロ波無線通信システムにおいて、
前記マイクロ波通信装置は、
前記マイクロ波通信ネットワーク上の他の前記マイクロ波通信装置と有線通信を行う有線通信インタフェース部と、
前記マイクロ波通信ネットワーク上の別の他の前記マイクロ波通信装置とマイクロ波無線通信を行う無線通信部と、
可変の通信制御用設定値を記憶する設定記憶部と、
前記ネットワーク監視装置から前記通信制御用設定値の変更指示を受け付ける変更受付部と、
前記変更指示に従って、前記設定記憶部の前記通信制御用設定値を変更する変更部と、
前記設定記憶部の前記通信制御用設定値に従って通信制御を行う制御部と、を備えるマイクロ波無線通信システム。
【請求項３】
請求項２に記載のマイクロ波無線通信システムにおいて、
前記ネットワーク監視装置は、
前記通信制御用設定値の変更を復帰させる指示を受け付ける復帰指示受付部と、
前記復帰させる指示を受け付けた時、前記マイクロ波通信装置に前記通信制御用設定値を変更前の値に復帰させる指示を行う復帰指示部と、をさらに含み、
前記マイクロ波通信装置は、
前記変更受付部が前記変更指示を受け付けたとき、前記設定記憶部の前記通信制御用設定値をバックアップするバックアップ部と、
前記ネットワーク監視装置から前記復帰させる指示を受け付ける復帰指示受付部と、
前記復帰指示受付部が前記復帰させる指示を受け付けたとき、前記バックアップ部によってバックアップされていた前記通信制御用設定値を前記設定記憶部に復帰させる復帰部と、
をさらに含むマイクロ波無線通信システム。
【請求項４】
請求項１乃至３いずれかに記載のマイクロ波無線通信システムにおいて、
前記通信制御用設定値は、伝送容量または変調方式を含むマイクロ波無線通信システム。
【請求項５】
請求項１乃至４いずれかに記載のマイクロ波無線通信システムにおいて、
前記ネットワーク監視装置の前記測定部に前記伝送品質を所定期間に亘り測定させ、測定された前記伝送品質の履歴を蓄積する履歴蓄積部をさらに備え、
前記提示部は、前記履歴をさらに提示するマイクロ波無線通信システム。
【請求項６】
一方が有線通信にて連結され、他方がマイクロ波無線通信にて連結される複数のマイクロ波通信装置により構成されるマイクロ波通信ネットワークを監視および制御するマイクロ波通信ネットワーク監視装置であって、
所定区間の前記マイクロ波通信装置のアップグレードの際に、当該マイクロ波通信装置の通信制御用設定値の変更を受け付ける受付部と、
前記受付部が受け付けた前記通信制御用設定値の変更に従って、当該マイクロ波通信装置をアップグレードする更新部と、
前記アップグレードされたマイクロ波通信装置の前記マイクロ波通信ネットワークの伝送品質を測定する測定部と、
前記測定部が測定した前記伝送品質を提示する提示部と、を備えるマイクロ波通信ネットワーク監視装置。
【請求項７】
マイクロ波通信ネットワークを構成するマイクロ波通信装置であって、
前記マイクロ波通信ネットワーク上の他のマイクロ波通信装置と有線通信を行う有線通信インタフェース部と、
前記マイクロ波通信ネットワーク上の別の他のマイクロ波通信装置とマイクロ波無線通信を行う無線通信部と、
可変の通信制御用設定値を記憶する設定記憶部と、
前記通信制御用設定値の変更指示を受け付ける変更受付部と、
前記変更指示に従って、前記設定記憶部の前記通信制御用設定値を変更する変更部と、
前記設定記憶部の前記通信制御用設定値に従って通信制御を行う制御部と、を備えるマイクロ波通信装置。
【請求項８】
一方が有線通信にて連結され、他方がマイクロ波無線通信にて連結される複数のマイクロ波通信装置により構成されるマイクロ波通信ネットワークを監視および制御するネットワーク監視プログラムであって、
コンピュータを、
所定区間の前記マイクロ波通信装置のアップグレードの際に、当該マイクロ波通信装置の通信制御用設定値の変更を受け付ける手段、
前記変更を受け付ける手段が受け付けた前記通信制御用設定値の変更に従って、当該マイクロ波通信装置をアップグレードする手段、
前記アップグレードされた前記マイクロ波通信ネットワークの伝送品質を測定する手段、
前記測定する手段が測定した前記伝送品質を提示する手段として機能させるためのネットワーク監視プログラム。
【請求項９】
マイクロ波通信ネットワークを構成するマイクロ波通信装置を制御する制御プログラムであって、
前記マイクロ波通信装置の可変の通信制御用設定値を記憶する設定記憶部を備えるコンピュータを、
前記マイクロ波通信ネットワーク上の他の前記マイクロ波通信装置と有線通信を制御する手段、
前記マイクロ波通信ネットワーク上の別の他の前記マイクロ波通信装置とマイクロ波無線通信を制御する手段、
前記通信制御用設定値の変更指示を受け付ける手段、
前記変更指示に従って、前記設定記憶部の前記通信制御用設定値を変更する手段、
前記設定記憶部の前記通信制御用設定値に従って通信制御を行う手段として機能させるための制御プログラム。
【発明の詳細な説明】
【技術分野】
【０００１】
本発明は、マイクロ波無線通信システムに関し、特に、マイクロ波通信ネットワークの所定区間のマイクロ波無線通信装置をアップグレード可能なマイクロ波無線通信システム、マイクロ波通信ネットワーク監視装置、マイクロ波通信装置、ネットワーク監視プログラム、および制御プログラムに関する。
【背景技術】
【０００２】
従来のマイクロ波無線通信システムとしては、例えば特許文献１に記載されたものがある。同文献に記載された無線通信システムは、最上位のマスタ局のマイクロ波無線通信装置からその配下の複数のマイクロ波無線通信装置への効率的な監視制御を実現可能な無線通信システムである。また、従来のマイクロ波無線通信装置で系構成されるシステムにおいては、通常、各無線装置の監視および制御を行う監視制御装置がマスタ局に接続され、マスタ局の配下の複数のマイクロ波無線通信装置の監視および制御を行うことができる。
【０００３】
ところで、図９に示すように、従来のマイクロ波無線通信システムのアップグレード作業時においては、はじめに、客先からアップグレード要求を受領すると（ステップＳ３０１）、アップグレード後の伝送品質を推定するための机上計算を実施する（ステップＳ３０３）。そして、計算結果に従って、システムの変更内容を決定する（ステップＳ３０５）。決定内容に従って、アップグレード装置への置き換えを実施する（ステップＳ３０７）。そして、システムを動作させ、監視データを収集し、伝送品質を測定する（ステップＳ３０９）。そして、測定結果を分析し（ステップＳ３１１）、結果が悪い場合、ステップＳ３０３に戻り、再度、ステップＳ３０３〜ステップＳ３０９を繰り返し、期待される伝送品質が得られるまで作業が繰り返される。結果が良い場合、アップグレードが完了する（ステップＳ３１３）。
【特許文献１】特開２００５−３４７９８２号公報
【発明の開示】
【発明が解決しようとする課題】
【０００４】
しかしながら、上記文献記載の従来技術は、以下の点で改善の余地を有していた。
システムをアップグレードする時は、アップグレード後の伝送品質を机上検討で推定するしか方法はなく、かつ、その推定結果に基づき、実際にシステムの置き換えを実施しなければならず、実回線で推定外の要素があった場合、伝送品質が客先規格内にならないことがあった。そのため、実際にシステムの置き換えた後に伝送品質を測定し、結果が客先規格に入るまで、繰り返しシステム変更を実施する必要があった。
【０００５】
本発明は上記事情に鑑みてなされたものであり、その目的とするところはシステムのアップグレード時に確度良く適切な伝送品質を確保できるマイクロ波無線通信システムを提供することにある。
【課題を解決するための手段】
【０００６】
本発明によれば、一方が有線通信にて連結され、他方がマイクロ波無線通信にて連結される複数のマイクロ波通信装置と、前記複数のマイクロ波通信装置により構成されるマイクロ波通信ネットワークを監視および制御するネットワーク監視装置と、を備えたマイクロ波無線通信システムであって、
前記ネットワーク監視装置は、
所定区間の前記マイクロ波通信装置のアップグレードの際に、当該マイクロ波通信装置の通信制御用設定値の変更を受け付ける受付部と、
前記受付部が受け付けた前記通信制御用設定値の変更に従って、当該マイクロ波通信装置をアップグレードする更新部と、
前記アップグレードされた前記マイクロ波通信ネットワークの伝送品質を測定する測定部と、
前記測定部が測定した前記伝送品質を提示する提示部と、を備えるマイクロ波無線通信システムが提供される。
【０００７】
ここで、伝送品質とは、たとえば、各マイクロ波通信装置の受信電界特性値や、送受信波の波形など様々なデータに基づいて計測することができる。
【０００８】
この発明によれば、ある区間のマイクロ波通信装置の設定値を仮に変更してネットワークの伝送品質を測定し、結果を確認することができるので、設定値、たとえば、伝送容量や変調方式などの変更による伝送品質の低下を事前に推定することが可能となり、推定結果に基づいて、適切なシステム変更を実施することが可能となる。また、提示された結果に応じて設定をさらに変更することにより、より適切なシステム変更を実施することが可能となる。
【０００９】
上記マイクロ波無線通信システムにおいて、前記マイクロ波通信装置は、前記マイクロ波通信ネットワーク上の他の前記マイクロ波通信装置と有線通信を行う有線通信インタフェース部と、前記マイクロ波通信ネットワーク上の別の他の前記マイクロ波通信装置とマイクロ波無線通信を行う無線通信部と、可変の通信制御用設定値を記憶する設定記憶部と、前記ネットワーク監視装置から前記通信制御用設定値の変更指示を受け付ける変更受付部と、前記変更指示に従って、前記設定記憶部の前記通信制御用設定値を変更する変更部と、前記設定記憶部の前記通信制御用設定値に従って通信制御を行う制御部と、を備えることができる。
【００１０】
上記マイクロ波無線通信システムにおいて、前記ネットワーク監視装置は、前記通信制御用設定値の変更を復帰させる指示を受け付ける復帰指示受付部と、前記復帰させる指示を受け付けた時、前記マイクロ波通信装置に前記通信制御用設定値を変更前の値に復帰させる指示を行う復帰指示部と、をさらに含むことができ、前記マイクロ波通信装置は、前記変更受付部が前記変更指示を受け付けたとき、前記設定記憶部の前記通信制御用設定値をバックアップするバックアップ部と、前記ネットワーク監視装置から前記復帰させる指示を受け付ける復帰指示受付部と、前記復帰指示受付部が前記復帰させる指示を受け付けたとき、前記バックアップ部によってバックアップされていた前記通信制御用設定値を前記設定記憶部に復帰させる復帰部と、をさらに含むことができる。
【００１１】
この構成によれば、設定を仮に変更した後、伝送品質が許容範囲を超えるような場合に、設定値を変更前の値に復帰させて、伝送品質を元に戻すことが可能となり、アンテナなどの実機の再交換などを必要とせず、アップグレード時の作業効率が向上し、不要となる実機のコストを低減できる。
【００１２】
上記マイクロ波無線通信システムにおいて、前記通信制御用設定値は、伝送容量または変調方式を含むことができる。また、上記マイクロ波無線通信システムにおいて、前記ネットワーク監視装置の前記測定部に前記伝送品質を所定期間に亘り測定させ、測定された前記伝送品質の履歴を蓄積する履歴蓄積部をさらに備えることができ、前記提示部は、前記履歴をさらに提示することができる。
【００１３】
この構成によれば、所定期間の伝送品質を確認することができるので、天候や電波状況などの環境変化に応じた伝送品質の確認が可能となり、システムの信頼性が向上する。
【００１４】
本発明によれば、一方が有線通信にて連結され、他方がマイクロ波無線通信にて連結される複数のマイクロ波通信装置により構成されるマイクロ波通信ネットワークを監視および制御するマイクロ波通信ネットワーク監視装置であって、
所定区間の前記マイクロ波通信装置のアップグレードの際に、当該マイクロ波通信装置の通信制御用設定値の変更を受け付ける受付部と、
前記受付部が受け付けた前記通信制御用設定値の変更に従って、当該マイクロ波通信装置をアップグレードする更新部と、
前記アップグレードされたマイクロ波通信装置の前記マイクロ波通信ネットワークの伝送品質を測定する測定部と、
前記測定部が測定した前記伝送品質を提示する提示部と、を備えるマイクロ波通信ネットワーク監視装置が提供される。
【００１５】
本発明によれば、マイクロ波通信ネットワークを構成するマイクロ波通信装置であって、
前記マイクロ波通信ネットワーク上の他のマイクロ波通信装置と有線通信を行う有線通信インタフェース部と、
前記マイクロ波通信ネットワーク上の別の他のマイクロ波通信装置とマイクロ波無線通信を行う無線通信部と、
可変の通信制御用設定値を記憶する設定記憶部と、
前記通信制御用設定値の変更指示を受け付ける変更受付部と、
前記変更指示に従って、前記設定記憶部の前記通信制御用設定値を変更する変更部と、
前記設定記憶部の前記通信制御用設定値に従って通信制御を行う制御部と、を備えるマイクロ波通信装置が提供される。
【００１６】
本発明によれば、一方が有線通信にて連結され、他方がマイクロ波無線通信にて連結される複数のマイクロ波通信装置により構成されるマイクロ波通信ネットワークを監視および制御するネットワーク監視プログラムであって、
コンピュータを、
所定区間の前記マイクロ波通信装置のアップグレードの際に、当該マイクロ波通信装置の通信制御用設定値の変更を受け付ける手段、
前記変更を受け付ける手段が受け付けた前記通信制御用設定値の変更に従って、当該マイクロ波通信装置をアップグレードする手段、
前記アップグレードされた前記マイクロ波通信ネットワークの伝送品質を測定する手段、
前記測定する手段が測定した前記伝送品質を提示する手段として機能させるためのネットワーク監視プログラムが提供される。
【００１７】
本発明によれば、マイクロ波通信ネットワークを構成するマイクロ波通信装置を制御する制御プログラムであって、
前記マイクロ波通信装置の可変の通信制御用設定値を記憶する設定記憶部を備えるコンピュータを、
前記マイクロ波通信ネットワーク上の他の前記マイクロ波通信装置と有線通信を制御する手段、
前記マイクロ波通信ネットワーク上の別の他の前記マイクロ波通信装置とマイクロ波無線通信を制御する手段、
前記通信制御用設定値の変更指示を受け付ける手段、
前記変更指示に従って、前記設定記憶部の前記通信制御用設定値を変更する手段、
前記設定記憶部の前記通信制御用設定値に従って通信制御を行う手段として機能させるための制御プログラムが提供される。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
本発明によれば、マイクロ波通信ネットワークのアップグレード時に確度良く適切な伝送品質を確保できるマイクロ波無線通信システムが提供される。
【発明を実施するための最良の形態】
【００２０】
以下、本発明の実施の形態について、図面を用いて説明する。尚、すべての図面において、同様な構成要素には同様の符号を付し、適宜説明を省略する。
【００２１】
図１は、本発明の実施の形態に係るマイクロ波無線通信システムの構成を示すネットワーク構成図である。本実施形態のマイクロ波無線通信システムは、マイクロ波無線通信にて互いに連結される複数のマイクロ波通信装置１０がマイクロ波通信ネットワーク１を構成する。そして、ネットワーク監視装置３０はマイクロ波通信ネットワーク１を監視および制御し、必要に応じてマイクロ波通信ネットワーク１のアップグレード時に、マイクロ波通信ネットワーク１上の所定区間のマイクロ波通信装置１０に対して通信制御用設定値を仮に変更し、伝送状況をモニタするものである。
【００２２】
各マイクロ波通信装置１０は、アンテナ１２を備え、相対するマイクロ波通信装置１０のアンテナ１２と無線通信を行う。なお、図１において、複数のマイクロ波通信装置１０は、互いに直列に接続されているが、これに限定されず、たとえば、一マイクロ波通信装置１０から分岐して別系統のネットワークを構成することもできる。なお、以下の各図において、本発明の本質に関わらない部分の構成については省略してある。
【００２３】
本実施形態のマイクロ波無線通信システムは、一方が有線通信にて連結され、他方がマイクロ波無線通信にて連結される複数のマイクロ波通信装置１０と、複数のマイクロ波通信装置により構成されるマイクロ波通信ネットワーク１を監視および制御するネットワーク監視装置３０と、を備えたマイクロ波無線通信システムであって、ネットワーク監視装置３０は、所定区間のマイクロ波通信装置１０のアップグレードの際に、当該マイクロ波通信装置１０の通信制御用設定値の変更を受け付け、受け付けた通信制御用設定値の変更に従って、当該マイクロ波通信装置１０をアップグレードし、アップグレードされたマイクロ波通信ネットワーク１の伝送品質を測定し、測定した伝送品質を提示する。
【００２４】
具体的には、マイクロ波無線通信システムは、ネットワーク監視装置（図中、「ＮＭＳ」と示す）３０と、端末４０と、を備える。ネットワーク監視装置３０は、パーソナルコンピュータなどであり、オペレータ５の操作を受け付ける操作部３２と、画面表示を行うモニタ３４と、印字出力するプリンタ３６と、を備える。ネットワーク監視装置３０は、たとえば、Ｎｏ．１のマイクロ波通信ネットワーク１のマイクロ波通信装置１０に接続され、マイクロ波通信ネットワーク１上の複数のマイクロ波通信装置１０の監視、制御、およびプログラムや設定変更などを行う。マイクロ波通信装置１０およびネットワーク監視装置３０間は、特に限定されないが、たとえば、ＵＳＢケーブルなどで接続することができる。
【００２５】
操作部３２は、たとえば、キーボード、マウス、タブレット、操作ボタン、スイッチ、タッチパネルなどである。モニタ３４は、たとえば、ランプ、ＬＥＤ、ＣＲＴモニタ、液晶ディスプレイなどである。
【００２６】
端末４０は、マイクロ波通信ネットワーク１のマイクロ波通信装置１０に接続され、接続したマイクロ波通信装置１０の設定変更や監視を行う。マイクロ波通信装置１０および端末４０間は、特に限定されないが、たとえば、ＵＳＢケーブルなどで接続することができる。端末４０については、詳細な説明は省略するが、パーソナルコンピュータなどであり、マイクロ波通信ネットワーク１上の任意のマイクロ波通信装置１０にＵＳＢケーブルなどを介して接続可能である。端末４０は、マイクロ波通信ネットワーク１上のマイクロ波通信装置１０の監視や設定変更などを行うことができる。
【００２７】
なお、以下の図２および図３に示すマイクロ波通信装置１０およびネットワーク監視装置３０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２８】
図２は、マイクロ波通信装置１０の構成を示す機能ブロック図である。本実施形態のマイクロ波通信装置１０は、マイクロ波通信ネットワーク１上の他のマイクロ波通信装置１０と有線通信を行う有線通信インタフェース部（通信インタフェース部１０２）と、マイクロ波通信ネットワーク１上の別の他のマイクロ波通信装置１０とマイクロ波無線通信を行う無線通信部（無線制御部１０８およびアンテナ１２）と、可変の通信制御用設定値を記憶する設定記憶部（記憶部１１２）と、ネットワーク監視装置３０から通信制御用設定値の変更指示を受け付ける変更受付部（ＮＭＳインタフェース部１１４および制御部１１０）と、変更指示に従って、設定記憶部（記憶部１１２）の通信制御用設定値を変更する変更部１２０と、設定記憶部（記憶部１１２）の通信制御用設定値に従って通信制御を行う制御部（制御部１１０、データ処理部１０４、変復調部１０６、および無線制御部１０８）と、を備える。
【００２９】
また、マイクロ波通信装置１０は、変更受付部（ＮＭＳインタフェース部１１４および制御部１１０）が変更指示を受け付けたとき、設定記憶部（記憶部１１２）の通信制御用設定値をバックアップするバックアップ部（変更部１２０）と、ネットワーク監視装置３０から復帰させる指示を受け付ける復帰指示受付部（ＮＭＳインタフェース部１１４および制御部１１０）と、復帰指示受付部が復帰させる指示を受け付けたとき、バックアップ部によってバックアップされていた通信制御用設定値を設定記憶部に復帰させる復帰部（変更部１２０）と、をさらに含むことができる。
【００３０】
本実施形態のマイクロ波通信装置１０は、マイクロコンピュータなどから構成でき、ＲＯＭなどに格納された制御プログラムをＣＰＵにより実行することにより実現可能である。本実施形態のマイクロ波通信装置１０の制御プログラムは、マイクロ波通信装置１０の可変の通信制御用設定値を記憶する設定記憶部（記憶部１１２）を備えるコンピュータを、マイクロ波通信ネットワーク１上の他のマイクロ波通信装置１０と有線通信を制御する手段（制御部１１０および通信インタフェース部１０２）、マイクロ波通信ネットワーク１上の別の他のマイクロ波通信装置１０とマイクロ波無線通信を制御する手段（制御部１１０および無線制御部１０８）、通信制御用設定値の変更指示を受け付ける手段（ＮＭＳインタフェース部１１４および制御部１１０）、変更指示に従って、設定記憶部の通信制御用設定値を変更する手段（変更部１２０）、設定記憶部（記憶部１１２）の通信制御用設定値に従って通信制御を行う手段（制御部１１０、データ処理部１０４、変復調部１０６、および無線制御部１０８）として機能させるための制御プログラムとすることができる。
【００３１】
具体的には、マイクロ波通信装置１０は、通信インタフェース部（通信Ｉ／Ｆ）１０２と、データ処理部１０４と、変復調部１０６と、無線制御部１０８と、制御部１１０と、記憶部１１２と、ＮＭＳインタフェース部（ＮＭＳ  Ｉ／Ｆ）１１４と、端末インタフェース部（端末Ｉ／Ｆ）１１６と、変更部１２０と、を備える。
【００３２】
通信インタフェース部１０２は、相対する他のマイクロ波通信装置１０、たとえば、図１のＮｏ．２のマイクロ波通信装置１０であれば、Ｎｏ．３のマイクロ波通信装置１０に通信インタフェース部１０２を介して互いに接続され、通信を行う。通信インタフェース部１０２は、たとえば、ＰＤＨ（Pre synchronous Digital Hierarchy）インタフェースや、ＳＤＨ（Synchronous Digital Hierarchy）インタフェース、あるいはＬＡＮインタフェースである。相対するマイクロ波通信装置１０の通信インタフェース部１０２間でやりとりされる信号としては、主信号および補助信号を含むことができる。
【００３３】
データ処理部１０４は、通信インタフェース部１０２を介して他のマイクロ波通信装置１０とやりとりした信号をデータ処理し、変復調部１０６および制御部１１０に受け渡す。具体的には、たとえば、デジタルプロセッサユニット（ＤＰＵ）などであり、通信インタフェース部１０２との入出力の数に応じて、伝送速度のスピードを変更する。
【００３４】
変復調部１０６は、データ処理部１０４が入力した信号を変調し、無線制御部１０８に受け渡す。一方、無線制御部１０８から入力した信号を復調し、データ処理部１０４に受け渡す。変調方式は、後述するネットワーク監視装置３０からの指示従って、制御部１１０によって制御され、変更することができる。変調方式は、たとえば、４ＰＳＫ、１６ＱＡＭ、３２ＱＡＭ、１２８ＱＡＭなどがある。無線制御部１０８は、アンテナ１２を介して他のマイクロ波通信装置１０とマイクロ波無線通信を行う。制御部１１０は、マイクロ波通信装置１０の各要素とともに装置全体を制御する。
【００３５】
記憶部１１２は、通信制御用設定値と、本マイクロ波通信装置１０を制御する制御プログラムを記憶する。制御部１１０は、記憶部１１２に記憶された制御プログラムを実行することにより、装置全体を制御する。さらに、通信制御用設定値に従ってデータ処理部１０４、変復調部１０６、および無線制御部１０８の動作を制御し、通信制御を行う。記憶部１１２に格納される制御プログラムおよび通信制御用設定値は、ＮＭＳインタフェース部１１４を介してたとえば、ネットワーク監視装置３０からダウンロード可能であり、バージョンアップなどの制御プログラムや通信制御用設定値の更新や設定を行うことができる。
【００３６】
ＮＭＳインタフェース部１１４は、ネットワーク監視装置３０と通信を行う。ＮＭＳインタフェース部１１４は、これに限定されないが、たとえば、ＵＳＢやＬＡＮなどである。端末インタフェース部１１６は、端末４０と通信を行う。本実施形態では、ＮＭＳインタフェース部１１４および端末インタフェース部１１６の両方を設けた構成としたが、これに限定されない。ＮＭＳインタフェース部１１４のみを備え、ＮＭＳインタフェース部１１４が端末４０を接続するよう機能させることもできる。
【００３７】
変更部１２０は、ＮＭＳインタフェース部１１４または通信インタフェース部１０２を介して後述するネットワーク監視装置３０から設定された通信制御用設定値を、制御部１１０を介して受け取り、記憶部１１２に記憶されている通信制御用設定値として変更する。あるいは、変更部１２０は、ネットワーク監視装置３０からダウンロードされたバージョンアップ版の制御プログラムにより記憶部１１２に記憶されている制御プログラムを更新することができる。また、変更部１２０は、通信制御用設定値を変更する際、旧通信制御用設定値のバックアップを取り、ネットワーク監視装置３０からの要求に応じて、変更された通信制御用設定値をバックアップされた値に戻す。
【００３８】
図３は、本実施形態のネットワーク監視装置３０の構成を示す機能ブロック図である。本実施形態のネットワーク監視装置３０は、所定区間のマイクロ波通信装置１０のアップグレードの際に、当該マイクロ波通信装置１０の通信制御用設定値の変更を受け付ける受付部２０８と、受付部２０８が受け付けた通信制御用設定値の変更に従って、当該マイクロ波通信装置１０をアップグレードする更新部（装置制御部２１０）と、アップグレードされたマイクロ波通信ネットワーク１の伝送品質を測定する測定部（データ収集部２２０および分析部２２４）と、測定部が測定した伝送品質を提示する提示部（表示制御部２２８およびモニタ３４）と、を備える。
【００３９】
また、ネットワーク監視装置３０は、通信制御用設定値の変更を復帰させる指示を受け付ける復帰指示受付部（受付部２０８）と、復帰させる指示を受け付けた時、マイクロ波通信装置１０に通信制御用設定値を変更前の値に復帰させる指示を行う復帰指示部（装置制御部２１０）と、をさらに含むことができる。
【００４０】
ネットワーク監視装置３０は、コンピュータにインストールされたネットワーク監視プログラムを実行することによって実現させることができる。本実施形態のネットワーク監視プログラムは、一方が有線通信にて連結され、他方がマイクロ波無線通信にて連結される複数のマイクロ波通信装置１０により構成されるマイクロ波通信ネットワーク１を監視および制御するネットワーク監視プログラムであって、コンピュータ（ネットワーク監視装置３０）を、所定区間のマイクロ波通信装置１０のアップグレードの際に、当該マイクロ波通信装置１０の通信制御用設定値の変更を受け付ける手段（受付部２０８）、変更を受け付ける手段が受け付けた通信制御用設定値の変更に従って、当該マイクロ波通信装置１０をアップグレードする手段（装置制御部２１０）、アップグレードされたマイクロ波通信ネットワーク１の伝送品質を測定する手段（データ収集部２２０および分析部２２４）、測定する手段が測定した伝送品質を提示する手段（表示制御部２２８）として機能させるためのネットワーク監視プログラムとすることができる。
【００４１】
具体的には、ネットワーク監視装置３０は、インタフェース部（Ｉ／Ｆ）２０２と、ダウンロード部（ＤＬ部）２０４と、受付部２０８と、装置制御部２１０と、データ収集部２２０と、監視データ記憶部（図中、「監視データ」と示す）２２２と、分析部２２４と、分析結果記憶部（図中、「分析結果」と示す）２２６と、表示制御部２２８と、を備える。
【００４２】
インタフェース部２０２は、マイクロ波通信装置１０との通信を行う。ネットワーク監視装置３０およびマイクロ波通信装置１０間は、特に限定されないが、たとえば、ＵＳＢケーブルなどで接続することができる。
【００４３】
ダウンロード部２０４は、インタフェース部２０２を介してマイクロ波通信装置１０からマイクロ波通信装置１０の可変の通信制御用設定値を設定するための設定画面をダウンロードする。具体的には、オペレータ５が所定区間のマイクロ波通信装置１０のアップグレードを、操作部３２の操作により要求する。所定区間の指定は後述する受付部２０８が受け付け、ダウンロード部２０４に通知する。ダウンロード部２０４がアップグレード要求を受け付けたとき、所定区間のマイクロ波通信装置１０からインタフェース部２０２を介して設定画面をダウンロードして、モニタ３４に表示する。
【００４４】
図４に設定画面の一例を示す。機器セットアップ画面３００は、設定一覧３０２と、設定ボタン（図中「セットアップ」と示す）３０４とを含む。設定一覧３０２には、複数のアイテム３０６に対応するステータス３０８が含まれ、設定ボタン３０４をオペレータ５が操作部３２を用いてダブルクリックなどにより選択することにより、各アイテム３０６に対するステータス３０８の変更画面（不図示）へと移行する。
【００４５】
アイテム３０６としては、たとえば、ユーザインタフェース３１０、変調方式３１２、および伝送容量３１４が含まれる。図４では、ユーザインタフェース３１０として「ＳＤＨ  ＳＴＭ−１」、変調方式３１２として「１２８ＱＡＭ方式」、伝送容量３１４として「１５６（ＭＢ）」が指定されている例を示している。
【００４６】
また、「アップグレード」とは、図５に示すように、たとえば、システム１の仕様からシステム２、システム３、あるいはシステム４へと仕様を変更することであり、伝送容量を増大させたり、変調方式を変更したりすることができる。
【００４７】
図３に戻り、受付部２０８は、マイクロ波通信ネットワーク１を構成する複数のマイクロ波通信装置１０のうち、いずれの区間のマイクロ波通信装置１０の設定を変更するかを受け付ける。具体的には、オペレータ５が操作部３２を操作して指定した区間を受け付け、ダウンロード部２０４および装置制御部２１０に受け渡す。さらに、受付部２０８は、ダウンロード部２０４でダウンロードされモニタ３４上に表示されている設定画面を用いて指定した各種設定値を受け付ける。上述したように、ユーザインタフェース３１０、変調方式３１２、伝送容量３１４などの指定を受け付けることができる。また、受付部２０８は、マイクロ波通信装置１０における設定値のバックアップの復帰指示をオペレータ５から受け付け、装置制御部２１０に通知する。
【００４８】
装置制御部２１０は、受付部２０８が受け付けた区間のマイクロ波通信装置１０に、受付部２０８が受け付けた設定値を変更するように、インタフェース部２０２を介してマイクロ波通信ネットワーク１上の該当するマイクロ波通信装置１０を制御する。また、装置制御部２１０は、受付部２０８が受け付けた設定値のバックアップの復帰するように、該当するマイクロ波通信装置１０を制御する。マイクロ波通信装置１０では、ネットワーク監視装置３０からの復帰指示に呼応して、設定変更時にバックアップした旧設定値を復帰させる。
【００４９】
データ収集部２２０は、インタフェース部２０２を介してマイクロ波通信装置１０の監視を行うためのデータを収集する。なお、マイクロ波通信装置１０から受信するデータフォーマットは、たとえば、主信号（ペイロード）が、指定された伝送速度（入出力の数）に対応するフォーマットで構成され、後に補助信号が続く構成を有する。補助信号には、たとえば、誤り訂正用信号などを含む各種信号が含まれ、マイクロ波通信装置１０とネットワーク監視装置３０間での制御に使用する追加制御用信号を含むことができる。追加制御用信号は、いずれのマイクロ波通信装置１０に対して制御を行うか、いずれの設定の変更を行うのか、およびその設定値を含むことができる。
【００５０】
監視データ記憶部２２２は、データ収集部２２０が収集した監視データを記憶する。監視項目としては、例として、信号誤り、機器故障、受信電界、送信電力、各種設定情報、たとえば、周波数、伝送容量、変調方式など）を含むことができる。監視データ記憶部２２２には、データ収集部２２０が所定期間収集した監視データの履歴を蓄積する。分析部２２４は、監視データ記憶部２２２に記憶された監視データに基づいて、伝送品質を分析する。分析結果記憶部２２６は、分析部２２４が分析した結果を記憶する。
【００５１】
表示制御部２２８は、操作部３２を介してオペレータ５の指示を受け付け、指示された分析結果を示す画面をモニタ３４に表示させる。表示制御部２２８は、監視データ記憶部２２２および分析結果記憶部２２６に記憶されているデータに基づいて、分析結果を示す画面を表示する。例として、図６（ａ）に示すような受信電界特性ログ画面３２０を表示することができる。受信電界特性ログ画面３２０は、指定された区間のＮｏ．１のマイクロ波通信装置１０とＮｏ．２のマイクロ波通信装置１０のそれぞれの受信電界特性を１秒毎に収集した履歴を示す一覧を含む。また、図６（ｂ）のように、受信電界特性グラフ表示画面３３０を表示することができる。受信電界特性グラフ表示画面３３０は、受信電界特性ログ画面３２０の履歴を、横軸を経過時間としてグラフ化したものである
【００５２】
このように構成されたマイクロ波無線通信システムの動作について、以下に説明する。図７は、本実施形態のマイクロ波無線通信システムのアップグレード作業の流れおよび作業時の各装置の動作の一例を示すフローチャートである。以下、図１乃至図７を用いて説明する。
【００５３】
はじめに、オペレータ５がネットワーク監視装置３０を用いてマイクロ波通信ネットワーク１の所定区間のマイクロ波通信装置１０のアップグレードを開始する（ステップＳ１１）。オペレータ５は、ネットワーク監視装置３０の操作部３２を操作して、アップグレードする区間を指定する（ステップＳ１３）。ネットワーク監視装置３０において、受付部２０８がオペレータ５によって指定された区間を受け付ける（ステップＳ１０１）。ネットワーク監視装置３０では、ダウンロード部２０４が所定区間のマイクロ波通信装置１０に対して機器セットアップ画面３００のダウンロードを要求し（ステップＳ１０３）、マイクロ波通信装置１０ではネットワーク監視装置３０からの要求に応じて機器セットアップ画面３００をアップロードする（ステップＳ２０１）。
【００５４】
ネットワーク監視装置３０において、図４に示す機器セットアップ画面３００がモニタ３４に表示される（ステップＳ１０５）。そして、オペレータ５は、機器セットアップ画面３００の設定ボタン３０４を押下し、設定画面へと移行させて、操作部３２を用いて、設定値の入力操作を行う（ステップＳ１５）。ネットワーク監視装置３０において、入力された設定値は受付部２０８が受け付ける（ステップＳ１０７）。そして、装置制御部２１０が、受付部２０８が受け付けた区間のマイクロ波通信装置１０に対して、受付部２０８が受け付けた設定値を変更するように、インタフェース部２０２を介して制御する（ステップＳ１０９）。たとえば、上述したデータの追加制御用信号に設定値の変更指示を含ませることができる。
【００５５】
マイクロ波通信装置１０では、設定値変更の指示をネットワーク監視装置３０からＮＭＳインタフェース部１１４を介して制御部１１０が受信と、はじめに記憶部１１２に記憶されていた旧設定値のバックアップを行う（ステップＳ２０３）。これらは、後述するように一旦設定値を仮に変更して伝送品質を分析した後、結果に応じて設定を元に戻すためにバックアップを取っておくものである。
【００５６】
そして、制御部１１０は、端末インタフェース部１１６を介して受信した新しい設定値で記憶部１１２に記憶されている設定値を更新する（ステップＳ２０５）。たとえば、該当するマイクロ波通信装置１０の設定が図５に示すシステム１の設定であった場合、アップグレード時の設定がシステム２に示す設定であるとする。すなわち、伝送容量は３４Ｍｂｐｓから６８Ｍｂｐｓに、変調方式は４ＰＳＫから１６ＱＡＭに変更されるものとする。その後、制御部１１０は、記憶部１１２に記憶された新しい設定、すなわち伝送容量６８Ｍｂｐｓ、変調方式１６ＱＡＭに従って変復調部１０６を制御し、相対するマイクロ波通信装置１０との通信を無線制御部１０８により開始する（ステップＳ２０７）。
【００５７】
ネットワーク監視装置３０において、マイクロ波通信装置１０にて通信制御が開始されると、伝送品質の監視を行うために、監視データの収集をデータ収集部２２０が開始する（ステップＳ１１１）。データ収集部２２０が収集した監視データは、監視データ記憶部２２２に順次記憶され、蓄積される（ステップＳ１１３）。そして、分析部２２４が監視データ記憶部２２２に蓄積された監視データに基づいて伝送品質を分析する（ステップＳ１１５）。分析した結果は分析結果記憶部２２６に記憶される。表示制御部２２８は、監視データ記憶部２２２に蓄積された履歴情報や分析結果記憶部２２６に記憶された分析結果を、モニタ３４に、たとえば図６（ａ）の受信電界特性ログ画面３２０として表示する（ステップＳ１１７）。あるいは、履歴情報や分析結果は、プリンタ（不図示）から印字させることもできる。
【００５８】
オペレータ５は、提示された分析結果や履歴情報に基づいて、伝送品質が所定の品質を保っているか否かを確認する（ステップＳ１７）。ここではアップグレードとして、たとえば、スペースダイバーシティの追加の実施を計画したものとする。図８（ａ）に示すように、受信電界特性（ＲＳＬ）が、メインシステムとスペースダイバーシティ（ＳＤ）システムとの間で低下位置にズレがある場合、メインシステムとＳＤシステムが互いに補間し合っている状態であるので、良好な状態であると判断される。一方、図８（ｂ）に示すように、ＲＳＬがメインシステムとＳＤシステムとで、低下位置が一致してしまっている場合、良好な状態でないと判断される。
【００５９】
図７に戻り、品質が満足であれば（ステップＳ１９のＹＥＳ）、処理を終了する。一方、品質に問題がある場合（ステップＳ１９のＮＯ）、オペレータ５が設定値の変更を要求したか否かを判断し（ステップＳ２１）、変更がある場合（ステップＳ２１のＹＥＳ）、ステップＳ１３に戻り、ネットワーク監視装置３０は、オペレータ５からの区間指定待ち状態となる。ここで、品質の可否の判断をオペレータ５が行い、その結果を操作部３２を用いてオペレータ５が指定することができる。あるいは、分析部２２４において、伝送品質が許容範囲に入っているか否か、予め設定した閾値と比較して判断し、その結果をモニタ３４上に表示させることもできる。
【００６０】
一方、仮の変更を辞める必要がある場合（ステップＳ２１のＮＯ）、設定値のバックアップの復帰指示をオペレータ５が操作部３２を用いて行い（ステップＳ２３）、ネットワーク監視装置３０において、受付部２０８が復帰指示を受け付け、装置制御部２１０がインタフェース部２０２を介して該当するマイクロ波通信装置１０に対して設定値の復帰の指示を行う（ステップＳ１１９）。該当するマイクロ波通信装置１０において、ＮＭＳインタフェース部１１４を介して制御部１１０が復帰指示を受け付け、変更部１２０に記憶部１１２の設定値のバックアップを復帰させる（ステップＳ２０９）。
【００６１】
なお、必要に応じて、仮変更された設定の状態で、ネットワーク監視装置３０にて、所定期間に亘って、マイクロ波通信ネットワーク１の伝送品質を測定した結果の履歴を監視データ記憶部２２２に蓄積することができる。これにより、所定期間の伝送品質を確認することができるので、天候や電波状況などの環境変化に応じた伝送品質の確認が可能となり、システムの信頼性が向上する。適切な伝送品質が安定して得られることが確認された後、実際にシステムのアップグレードを実施することができる。
【００６２】
以上説明したように、本発明の実施の形態のマイクロ波無線通信システムによれば、ある区間のマイクロ波通信装置の設定値を仮に変更してネットワークの伝送品質を測定し、結果を確認することができるので、設定値、たとえば、伝送容量や変調方式などの変更による伝送品質の低下を事前に推定することが可能となり、適切なシステム変更を実施することが可能となる。また、提示された結果に応じて設定をさらに変更することにより、より適切なシステム変更を推定することが可能となる。
【００６３】
また、設定を仮に変更した後、伝送品質が許容範囲を超えるような場合に、設定値を変更前の値に復帰させて、伝送品質を元に戻すことが可能となり、アンテナなどの実機の再交換などを必要とせず、アップグレード時の作業効率が向上し、不要となる実機のコストを低減できる。
【００６４】
以上、図面を参照して本発明の実施形態について述べたが、これらは本発明の例示であり、上記以外の様々な構成を採用することもできる。
【図面の簡単な説明】
【００６５】
【図１】本発明の実施の形態に係るマイクロ波無線通信システムの構成を示すネットワーク構成図である。
【図２】本発明の実施の形態に係るマイクロ波通信装置の構成を示す機能ブロック図である。
【図３】本発明の実施の形態に係るネットワーク監視装置の構成を示す機能ブロック図である。
【図４】本実施形態のネットワーク監視装置の設定画面の一例を示す図である。
【図５】本実施形態のマイクロ波通信ネットワークのシステムアップグレードの一例を示す図である。
【図６】本実施形態におけるマイクロ波通信ネットワークの監視画面の一例を示す図である。
【図７】本実施形態のマイクロ波無線通信システムのアップグレード作業の流れおよび作業時の各装置の動作の一例を示すフローチャートである。
【図８】本実施形態のマイクロ波無線通信システムの分析結果を説明するための図である。
【図９】従来のマイクロ波無線通信システムのアップグレード作業の流れを示すフローチャートである。
【符号の説明】
【００６６】
１  マイクロ波通信ネットワーク
１０  マイクロ波通信装置
１２  アンテナ
３０  ネットワーク監視装置
３２  操作部
３４  モニタ
３６  プリンタ
４０  端末
１０２  通信インタフェース部
１０４  データ処理部
１０６  変復調部
１０８  無線制御部
１１０  制御部
１１２  記憶部
１１４  ＮＭＳインタフェース部
１１６  端末インタフェース部
１２０  変更部
２０２  インタフェース部
２０４  ダウンロード部
２０８  受付部
２１０  装置制御部
２２０  データ収集部
２２２  監視データ記憶部
２２４  分析部
２２６  分析結果記憶部
２２８  表示制御部
３００  機器セットアップ画面
３０２  設定一覧
３０４  設定ボタン
３２０  受信電界特性ログ画面
３３０  受信電界特性グラフ表示画面
【図１】
2008066960.tif 000003
【図２】
2008066960.tif 000004
【図３】
2008066960.tif 000005
【図４】
2008066960.tif 000006
【図５】
2008066960.tif 000007
【図６】
2008066960.tif 000008
【図７】
2008066960.tif 000009
【図８】
2008066960.tif 000010
【図９】
2008066960.tif 000011